(57)【要約】【課題】製品コストの低減が図れ、かつ二重構造ダンパーと同様の構造を有するスピーカー装置用ダンパーを提供する。【解決手段】ダンパーは、外周枠（第１の環状部）と、その内側に配置された内周枠（第２の環状部）と、弾性を有し、外周枠と内周枠との間に配置されると共に、外周枠と内周枠とを連結し、複数のアーム部を含む第１及び第２アームと、を備えている。第１アームを構成する複数のアーム部と、第２アームを構成する複数のアーム部とは、外周枠及び内周枠の母線方向に距離をおいて配置され、異なる平面上に位置している。これにより、１つのダンパーにてダブルダンパー構造を実現できる。また、ダブルダンパーの場合、２つのダンパーを用いて構成されるので、その分だけダンパーの製品コストが高くなってしまうのに対して、かかるダンパーでは、１つのダンパーによりダブルダンパー構造を実現でき、ダブルダンパーと比較してダンパーの製品コストを下げることができる。【選択図】図２
2007318284.tif 000002
【特許請求の範囲】
【請求項１】
第１の環状部と、
前記第１の環状部の内側に配置された第２の環状部と、
弾性を有し、前記第１の環状部と前記第２の環状部との間に配置されると共に、前記第１の環状部と前記第２の環状部とを連結する第１及び第２アームと、を備え、
前記第１アームと前記第２アームは、前記第１の環状部及び前記第２の環状部の母線方向に距離をおいて配置され、異なる平面上に位置していることを特徴とするスピーカー装置用ダンパー。
【請求項２】
前記第１アーム及び前記第２アームの各々は、前記第１の環状部及び前記第２の環状部の周方向に一定の間隔をおいて配置された複数のアーム部を有し、
前記第１アームを構成する前記複数のアーム部と、前記第２アームを構成する前記複数のアーム部とは、前記母線方向において平面的に重なっていないことを特徴とする請求項１に記載のスピーカー装置用ダンパー。
【請求項３】
前記第１アームを構成する前記複数のアーム部と、前記第２アームを構成する前記複数のアーム部とは、前記母線方向において、前記周方向に一定の間隔をおいて交互に配置されていることを特徴とする請求項２に記載のスピーカー装置用ダンパー。
【請求項４】
前記複数のアーム部はＳ字状の形状に形成されていることを特徴とする請求項２又は３に記載のスピーカー装置用ダンパー。
【請求項５】
請求項１乃至４のいずれか一項に記載のスピーカー装置用ダンパーと、
ボイスコイルが巻かれたボイスコイルボビンと、
フレームと、を備え、
前記第１の環状部はフレームに取り付けられていると共に、前記第２の環状部はボイスコイルボビンに取り付けられていることを特徴とするスピーカー装置。
【発明の詳細な説明】
【技術分野】
【０００１】
本発明は、スピーカー装置用ダンパーの構造に関する。
【背景技術】
【０００２】
従来より、コルゲーション形ダンパー、ギャザード形ダンパー、蝶形ダンパーなどに代表される各種のスピーカー装置用ダンパーが知られている。
【０００３】
このうち、蝶形ダンパーは、一般的に、環状の形状を有する内周枠と、環状の形状を有し、内周枠より大きな直径を有する外周枠と、内周枠と外周枠とを連結する複数のアーム部と、を備えて構成される。例えば、このような構成を有する蝶形ダンパーが特許文献１に記載されている。
【０００４】
特許文献１に記載の蝶形ダンパーは、外周枠に対するアーム部の連結部分においてダンパーの駆動方向に対してアーム部の両側に外周枠の一部が存在するように、アーム部の一端が連結されている。そのため、ダンパーが駆動することにより内周枠が振幅しても外周枠の一部が壁の役目を果たし、アーム部が大きく振幅するのを抑止でき、かかる応力が低減できるとされている。
【０００５】
また、その他にも、この種の構成を有するダンパーの一例が特許文献２乃至４に記載されている。
【０００６】
特許文献２に記載のダンパーは、熱可塑性エラストマーを用いて射出成型により成型されたダンパー本体を有し、ダンパー本体は、ボイスコイル接着部と、フレームに貼着されるダンパー周縁部と、ボイスコイル接着部とダンパー周縁部との間を弾性をもって橋絡するサスペンションレバーと、透かし窓と、から構成され、そのダンパー本体を２枚重ねてなり、さらに、それらのダンパーの中間にメッシュを介在挟持してインサートモールド成型されてなる。かかる構成により、耐久性の良好な軟らかいグレードで自由に振幅特性、柔軟度を実現できて、密な防塵効果を有するという顕著な効果を有するとされている。
【０００７】
特許文献３に記載のダンパーは、ボイスコイルボビンが巻回されたボビンが嵌合する小径筒部と、スピーカフレームに固定される大径筒部と、小径筒部と大径筒部との間に橋絡されたアーム部と、を有して構成され、特に、アーム部の小径筒接続部と大径筒接続部とは、小径筒部、大径筒部の一方の開放面近傍に接続され、他方のアーム部の小径筒接続部と大径筒接続部とは、小径筒部、大径筒部の他方の開放面近傍に接続されている。これにより、スピーカ用ダンパーのアーム部のボビン（小径筒部）との接続は、ボビンの軸方向において異なる２箇所の部分となり、ボビンが軸方向に移動してもボビンの横ぶれが発生し難いとされている。
【０００８】
特許文献４に記載のダンパーは、第１のダンパー部材と第２のダンパー部材とを有し、第１のダンパー部材は、一方の端面側に開放面が形成され、また、他方の端面側には中心部にボイスコイルが取り付けられる穴が形成され、ボイスコイルの移動方向に可撓可能なダンパー部が形成されてなり、さらに、第１のダンパー部材の開放面と、第２のダンパー部材の開放面とが対向するように第１のダンパー部材及び第２のダンパー部材が一体化されてなる二重構造ダンパーとなっている。これにより、第１のダンパー部材の筒面と、第２のダンパー部材の筒面とが２つのダンパー部の間隔を確保するスペーサの役割を果たすので、スペーサが不要となり、組み付け工数が低減し、コストも低減できるとされている。
【０００９】
【特許文献１】特開２００２−２６２３９１号公報
【特許文献２】特開２００３−９７６４１号公報
【特許文献３】特開２００３−２１９４９７号公報
【特許文献４】特開２００３−３２７８８号公報
【発明の開示】
【発明が解決しようとする課題】
【００１０】
上記した各種の特許文献のうち、特許文献２及び４に記載のダンパーは、２つのダンパー部材（又はダンパー本体）を組み合わせて構成されているので、１つのダンパーにより構成されたものと比較して、ボイスコイルボビン及び振動板等の振動系部材を安定的に振動させることができるものと推察されるが、その反面、それらのダンパーは、２つのダンパー部材（又はダンパー本体）を用いて構成されることでダンパーの製品コストが高くなり、ひいてはスピーカー装置の製品コストが高くなってしまうという問題がある。
【００１１】
本発明が解決しようとする課題としては、製品コストの低減が図れ、かつ二重構造ダンパーと同様の構造を有し、振動系部材を安定的に振動させることが可能なスピーカー装置用ダンパー及びスピーカー装置を提供することを課題とする。
【課題を解決するための手段】
【００１２】
請求項１に記載の発明は、スピーカー装置用ダンパーであって、第１の環状部と、前記第１の環状部の内側に配置された第２の環状部と、弾性を有し、前記第１の環状部と前記第２の環状部との間に配置されると共に、前記第１の環状部と前記第２の環状部とを連結する第１及び第２アームと、を備え、前記第１アームと前記第２アームは、前記第１の環状部及び前記第２の環状部の母線方向に距離をおいて配置され、異なる平面上に位置していることを特徴とする。
【発明を実施するための最良の形態】
【００１３】
本発明の１つの実施形態では、スピーカー装置用ダンパーは、第１の環状部と、前記第１の環状部の内側に配置された第２の環状部と、弾性を有し、前記第１の環状部と前記第２の環状部との間に配置されると共に、前記第１の環状部と前記第２の環状部とを連結する第１及び第２アームと、を備え、前記第１アームと前記第２アームは、前記第１の環状部及び前記第２の環状部の母線方向に距離をおいて配置され、異なる平面上に位置している。
【００１４】
上記のスピーカー装置用ダンパーは、例えばフレームに取り付けられる第１の環状部と、例えばボイスコイルが巻かれたボイスコイルボビンに取り付けられ、第１の環状部の内側に配置された第２の環状部と、弾性を有し、第１の環状部と第２の環状部との間に配置されると共に、第１の環状部と第２の環状部とを連結する第１及び第２アームと、を備えて構成される。そして、第１アームと第２アームは、第１の環状部及び第２の環状部の母線方向に距離をおいて配置され、異なる平面上に位置している。ここで、母線方向とは、第１及び第２の環状部の各一端面及び当該各一端面に対向する各他端面に対して垂直な方向をいう。
【００１５】
つまり、このスピーカー装置用ダンパーは、２つの蝶型ダンパーを重ねて構成されるダブルダンパーを１つの蝶型ダンパーにて実現した構造を有する。
【００１６】
これにより、かかるスピーカー装置用ダンパーを適用したスピーカー装置では、１つのダンパーを有するスピーカー装置と比較して、ボイスコイルボビン等を含む振動系部材のローリング（横揺れ）が生じ難くなり、かかる振動系部材を、上記の母線方向に安定的に振動させることができる。
【００１７】
また、上記した２重構造ダンパー（ダブルダンパー）の場合、２つのダンパーを用いて構成されるので、その分だけダンパーの製品コストが高くなってしまうのに対して、かかるスピーカー装置用ダンパーでは、１つのダンパーによりダブルダンパー構造を実現できるので、上記したダブルダンパーと比較して、スピーカー装置用ダンパーの製品コストを下げることができる。これにより、スピーカー装置の製品コストも下げることができる。
【００１８】
上記のスピーカー装置用ダンパーの一つの態様では、前記第１アーム及び前記第２アームの各々は、前記第１の環状部及び前記第２の環状部の周方向に一定の間隔をおいて配置された複数のアーム部を有し、前記第１アームを構成する前記複数のアーム部と、前記第２アームを構成する前記複数のアーム部とは、前記母線方向において平面的に重なっていない。好適な例では、前記複数のアーム部はＳ字状の形状に形成されているのが好ましい。このため、かかるスピーカー装置用ダンパーを射出成形方法等にて作製する場合に、第１アーム及び第２アームの作製が容易となる。
【００１９】
上記のスピーカー装置用ダンパーの他の態様では、前記第１アームを構成する前記複数のアーム部と、前記第２アームを構成する前記複数のアーム部とは、前記母線方向において、前記周方向に一定の間隔をおいて交互に配置されている。
【００２０】
これにより、ボイスコイルボビン等を含む振動系部材を上記の母線方向に安定的に振動させることができ、振動系部材にローリングが生じるのを防止できる。
【００２１】
本発明の他の実施形態では、スピーカー装置は、上記のスピーカー装置用ダンパーと、ボイスコイルが巻かれたボイスコイルボビンと、フレームと、を備え、前記第１の環状部はフレームに取り付けられていると共に、前記第２の環状部はボイスコイルボビンに取り付けられている。これにより、ダブルダンパーを有するスピーカー装置と同様の作用を生じるスピーカー装置を構成することができる。よって、ボイスコイルボビン等を含む振動系部材を上記の母線方向及びスピーカー装置の中心軸方向に安定的に振動させることができ、振動系部材にローリングが生じるのを防止できる。また、１つのスピーカー装置用ダンパーによりダブルダンパー構造を実現できるので、スピーカー装置用ダンパーの製品コストを下げることができ、ひいてはスピーカー装置の製品コストを下げることができる。
【実施例】
【００２２】
以下、図面を参照して本発明の好適な実施例について説明する。
【００２３】
［スピーカー装置の構成］
図１に、本発明の実施例に係るダンパー７を含むスピーカー装置１００を、その中心軸Ｌ１を通る平面で切断したときの断面図を示す。
【００２４】
スピーカー装置１００は、図１に示すように、ヨーク１、マグネット２及びプレート３を含む磁気回路３０と、フレーム４、ボイスコイルボビン５、ボイスコイル６、ダンパー７、振動板８、エッジ９及びキャップ１１を含む振動系部材３１と、を有して構成される。なお、本発明では、スピーカー装置の構造及び駆動方式、並びにダンパー７以外のスピーカー装置用構成部品（振動系部材３１及び磁気回路３０）の構造などに限定はない。
【００２５】
まず、磁気回路３０の構成について説明する。
【００２６】
本磁気回路３０は、外磁型の磁気回路として構成されている。
【００２７】
ヨーク１は、略円柱状の形状をなすポール部１ａと、そのポール部１ａの外周壁の下端部から外側に延在するように形成されたフランジ部１ｂと、を有する。
【００２８】
マグネット２は、略環状の形状をなし、フランジ部１ｂ上に取り付けられている。マグネット２上には、略環状の形状を有するプレート３が取り付けられている。そして、プレート３の内周壁とポール部１ａの外周壁との間隙には、マグネット２の磁束が集中する磁気ギャップ３２が形成されている。
【００２９】
次に、振動系部材３１の構成について説明する。
【００３０】
フレーム４は、様々なスピーカー装置用構成部材を支持する機能を有する。フレーム４は、略椀状の形状及び階段状の断面形状をなし、第１段部４ａと、当該第１段部４ａの上側に且つ外側に設けられた第２段部４ｂと、当該第２段部４ｂの上側に且つ外側に設けられた第３段部４ｃと、を有している。フレーム４の要素である第１段部４ａは、プレート３上に取り付けられている。これにより、フレーム４は、磁気回路３０に結合されている。第２段部４ｂ上にはダンパー７の外周部、即ち、外周枠７０が配置される。また、第３段部４ｃ上には、エッジ９の外周部が配置される。
【００３１】
ボイスコイルボビン５は、略円筒状の形状をなしている。ボイスコイルボビン５の下端部付近は、ヨーク１のポール部１ａの上端部付近を覆っている。このため、ボイスコイルボビン５の内周壁の下端部付近は、ポール部１ａの外周壁の上端部付近と対向している一方、ボイスコイルボビン５の外周壁の下端部付近は、プレート３の内周壁及びマグネット２の内周壁の一部と夫々対向している。
【００３２】
ボイスコイル６は、ボイスコイルボビン５の外周壁の下端部付近に巻かれており、ボイスコイル６の外周壁はプレート３の内周壁と対向している。ボイスコイル６は、１つの配線からなり、図示しないプラス及びマイナスのリード線を夫々有している。プラス側のリード線はＬ（又はＲ）チャンネル信号の入力配線であり、マイナス側のリード線はグランド（ＧＮＤ：接地）信号の入力配線である。プラス及びマイナスの各リード線は、それぞれフレーム４の適当な位置に設けられた図示しない端子に電気的に接続されている一方、端子は、図示しないアンプ側の出力配線にも電気的に接続されている。これにより、ボイスコイル６には、端子、プラス及びマイナスの各リード線を介してアンプ側から１チャンネル分の信号や電力が入力される。
【００３３】
ダンパー７は、略環状の形状をなし、ボイスコイルボビン５等を弾性的に支持する役割を果たす。好適な例では、ダンパー７は樹脂材料にて形成されているのが好ましい。ダンパー７の内周枠７１は、その内周壁に設けられた複数のリブ７１ａを介してボイスコイルボビン５の外周壁の上端部付近に取り付けられている一方、ダンパー７の外周枠７０は、フレーム４の第２段部４ｂ上に取り付けられている。さらに、ダンパー７の外周枠７０に設けられた爪部７０ａ上には補強剤９０が塗布され、ダンパー７は、その補強剤９０を通じてフレーム４に補強された上で固定されている。なお、ダンパー７の詳細な構成は後述する。
【００３４】
振動板８は、コーン状の形状を有し、入力信号に応じた音波を放射する機能を有する。振動板８の内周縁部は、ボイスコイルボビン５の外周壁の上端部に取り付けられている。一方、振動板８の外周縁部には、略Ω状の断面形状を有するエッジ９が取り付けられている。エッジ９の外周縁部はフレーム４の第３段部４ｃ上に取り付けられている。
【００３５】
キャップ１１は、ドーム状の形状をなし、その外周端部付近は、放音側となる振動板８の内周部の放音面上に取り付けられている。このため、キャップ１１は、放音側から水分や異物などが磁気回路３０側に侵入するのを防止する役割を果たす。
【００３６】
以上の構成を有するスピーカー装置１００において、アンプ側から出力された信号及び電力は、端子並びにボイスコイル６のプラス及びマイナスのリード線を介してボイスコイル６へ供給される。これにより、磁気ギャップ３２内でボイスコイル６に駆動力が発生し、偏心型の振動板８をスピーカー装置１００の中心軸Ｌ１方向に振動させる。こうして、スピーカー装置１００は、矢印Ｙ１の方向に音波を放射する。
【００３７】
[ダンパーの構成]
次に、図２及び図３を参照して、本発明の実施例に係るダンパー７の構成について詳述する。
【００３８】
図２（ａ）は、図１の放音方向Ｙ１と逆側から観察したときのダンパー７の斜視図を示す。図２（ｂ）は、図１の放音方向Ｙ１と逆側から観察したときのダンパー７の平面図を示す。図３は、図２（ｂ）の切断線Ａ−Ａ’に沿ったダンパー７の断面図であり、特にダンパー７の中心軸Ｌ２を通る位置で切断した断面図を示す。
【００３９】
ダンパー７は、２つの蝶型ダンパーを重ねて構成される二重構造ダンパー（ダブルダンパー）を、１つの蝶型ダンパーにて実現した構造を有する。
【００４０】
具体的には、ダンパー７は、蝶型ダンパー構造を有し、フレーム４に取り付けられる外周枠（第１の環状部）７０と、外周枠７０の内側に配置され、ボイスコイルボビン５に取り付けられる内周枠（第２の環状部）７１と、弾性を有し、外周枠７０と内周枠７１との間に配置されると共に、外周枠７０と内周枠７１とを連結し、複数のアーム部７２ａ、７２ｂ、７２ｃを含んで構成される第１アーム７２と、同じく、弾性を有し、外周枠７０と内周枠７１とを連結し、複数のアーム部７３ａ、７３ｂ、７３ｃを含んで構成される第２アーム７３と、を備えて構成される。
【００４１】
外周枠７０は、円環状の形状をなし、その外周壁の下端部から外側へ突出してなる爪部７０ａを有する。爪部７０ａはフレーム４と嵌合する部位である。
【００４２】
内周枠７１は、円環状の形状をなし、その内径は外周枠７０の内径より小さく、その内周壁には複数のリブ（突起）７１ａが形成されている。このリブ７１ａは、内周枠７１をボイスコイルボビン５に安定的に取り付ける役割を果たす。内周枠７１の中心軸と外周枠７０の中心軸は、ダンパー７の中心軸Ｌ２上に位置している。
【００４３】
複数のアーム部７２ａ、７２ｂ、７２ｃを含んで構成される第１アーム７２と、複数のアーム部７３ａ、７３ｂ、７３ｃを含んで構成される第２アーム７３とは、図３に示すように、外周枠７０及び内周枠７１の母線方向Ｙ２に距離をおいて配置され、異なる平面上に位置している。ここで、母線方向Ｙ２とは、図２（ａ）及び図３において、外周枠７０及び内周枠７１の各一端面（各上面）及び当該各一端面に対向する各他端面（各下面）に対して垂直な方向、言い換えればダンパー７の中心軸Ｌ２に平行な方向をいう。本例では、アーム部７２ａ、アーム部７２ｂ及びアーム部７２ｃを含んで構成される第１アーム７２と、アーム部７３ａ、アーム部７３ｂ及びアーム部７３ｃを含んで構成される第２アーム７３とは、外周枠７０及び内周枠７１の母線方向Ｙ２に一定の距離ｄ１をおいて配置されている。
【００４４】
また、第１アーム７２を構成する、アーム部７２ａ、アーム部７２ｂ及びアーム部７２ｃは、夫々Ｓ字状の形状に形成され、その各々は、同一平面Ｓ１上に位置しており、且つ外周枠７０及び内周枠７１の周方向Ｙ３に一定の間隔をおいて配置されている。一方、第２アーム７３を構成する、アーム部７３ａ、アーム部７３ｂ及びアーム部７３ｃも、夫々Ｓ字状の形状に形成され、その各々は、上記の平面Ｓ１より上方に位置する同一平面Ｓ２上に位置しており、且つ外周枠７０及び内周枠７１の周方向Ｙ３に一定の間隔をおいて配置されている。また、アーム部７２ａ、アーム部７２ｂ及びアーム部７２ｃと、アーム部７３ａ、アーム部７３ｂ及びアーム部７３ｃとは、外周枠７０及び内周枠７１の母線方向Ｙ２において平面的に重なっていない。また、第１アーム７２の各アーム部、即ちアーム部７２ａ、アーム部７２ｂ及びアーム部７２ｃと、第２アーム７３の各アーム部、即ちアーム部７３ａ、アーム部７３ｂ及びアーム部７３ｃとは、外周枠７０及び内周枠７１の母線方向Ｙ２において、外周枠７０及び内周枠７１の周方向Ｙ３に一定の間隔をおいて交互に配置されている。
【００４５】
以上の構成を有するダンパーは、次のような作用効果を奏する。
【００４６】
本実施例に係るダンパー７は、外周枠７０と、その外周枠７０の内側に配置された内周枠７１と、弾性を有し、外周枠７０と内周枠７１との間に配置されると共に、外周枠７０と内周枠７１とを連結し、複数のアーム部７２ａ、７２ｂ、７２ｃを含んで構成される第１アーム７２と、弾性を有し、外周枠７０と内周枠７１とを連結し、複数のアーム部７３ａ、７３ｂ、７３ｃを含んで構成される第２アーム７３と、を備えて構成され、第１アーム７２と第２アーム７３とは、外周枠７０及び内周枠７１の母線方向Ｙ２に距離をおいて配置され、異なる平面上に位置している。つまり、かかるダンパー７は、２つの蝶型ダンパーを重ねて構成されるダブルダンパーを１つの蝶型ダンパーにて実現した構造を有する。
【００４７】
これにより、かかるダンパー７を適用したスピーカー装置１００では、１つのダンパーを有するスピーカー装置と比較して、ボイスコイルボビン５等を含む振動系部材３１のローリング（横揺れ）が生じ難くなり、かかる振動系部材３１を、上記の母線方向Ｙ２及びスピーカー装置１００の中心軸Ｌ１方向に安定的に振動させることができる。
【００４８】
好適な例では、第１アーム７２を構成する、アーム部７２ａ、アーム部７２ｂ及びアーム部７２ｃは、夫々Ｓ字状の形状に形成され、その各々は同一平面Ｓ１上に位置しているのが好ましい。また、第２アーム７３を構成する、アーム部７３ａ、アーム部７３ｂ及びアーム部７３ｃは、夫々Ｓ字状の形状に形成され、その各々は、上記の平面Ｓ１の上方に位置する同一平面Ｓ２上に位置しているのが好ましい。
【００４９】
また、上記したダブルダンパーの場合、２つの蝶型ダンパーを用いて構成されるので、その分だけダンパーの製品コストが高くなってしまうのに対して、本実施例では、１つのダンパーによりダブルダンパー構造を実現できるので、上記したダブルダンパーと比較して、ダンパー７の製品コストを下げることができる。これにより、スピーカー装置１００の製品コストも低減できる。
【００５０】
また、本実施例のダンパー７では、第１アーム７２の構成要素である、アーム部７２ａ、アーム部７２ｂ及びアーム部７２ｃと、第２アーム７３の構成要素である、アーム部７３ａ、アーム部７３ｂ及びアーム部７３ｃとは、外周枠７０及び内周枠７１の周方向Ｙ３に一定の間隔をおいて配置され、アーム部７２ａ、アーム部７２ｂ及びアーム部７２ｃと、アーム部７３ａ、アーム部７３ｂ及びアーム部７３ｃとは、外周枠７０及び内周枠７１の母線方向Ｙ２において平面的に重なっていない。このため、かかるダンパー７を射出成形方法等にて作製する場合に、第１アーム７２及び第２アーム７３の作製が容易となる。
【００５１】
また、第１アーム７２を構成する、アーム部７２ａ、アーム部７２ｂ及びアーム部７２ｃと、第２アーム７３を構成する、アーム部７３ａ、アーム部７３ｂ及びアーム部７３ｃとは、外周枠７０及び内周枠７１の母線方向Ｙ２において、外周枠７０及び内周枠７１の周方向Ｙ３に一定の間隔をおいて交互に配置されている。これにより、ボイスコイルボビン５等を含む振動系部材３１を上記の母線方向Ｙ２及びスピーカー装置１００の中心軸Ｌ１方向に安定的に振動させることができ、振動系部材３１にローリングが生じるのを防止できる。
【００５２】
[変形例]
上記の実施例では、内周枠７０及び外周枠７１はいずれも円環状の形状に形成するようにしたが、本発明では、これに限定されず、内周枠７０及び外周枠７１は、環状の形状を有していればよい。例えば、本発明では、内周枠７０及び外周枠７１は角型に且つ環状の形状に形成することもできる。
【００５３】
また、上記の実施例では、第１アーム７２を構成する、アーム部７２ａ、アーム部７２ｂ及びアーム部７２ｃ、並びに、第２アーム７３を構成する、アーム部７３ａ、アーム部７３ｂ及びアーム部７３ｃｔは、それぞれＳ字状の形状に形成したが、本発明では、これに限定されず、それらの各アーム部は既知の各種の形状を採用し得る。
【図面の簡単な説明】
【００５４】
【図１】本発明の実施例に係るダンパーを有するスピーカー装置の断面図を示す。
【図２】本実施例に係るダンパーの斜視図及び平面図を示す。
【図３】本実施例に係るダンパーの断面図を示す。
【符号の説明】
【００５５】
４  フレーム
５  ボイスコイルボビン
７  ダンパー
７０  外周枠
７１  内周枠
７２ａ、７３ａ、７２ｂ、７３ｂ、７２ｃ、７３ｃ  アーム部
１００  スピーカー装置
【図１】
2007318284.tif 000003
【図２】
2007318284.tif 000004
【図３】
2007318284.tif 000005